(57)【要約】【課題】簡単な構成にて、綴じ状態を維持し、また綴じ状態を解除することができる綴じ具を提供する。【解決手段】複数の半リング１５，１６，２５，２６が棒状のベース２１に並設された二つの綴じ部材と、前記二つの綴じ部材の回動に係るシャフト２とを備えており、前記二つの綴じ部材の半リング１５，１６，２５，２６の先端部同士が重畳する綴じ状態及び解除状態を有する綴じ具１であって、一方の綴じ部材のベースに突設され、シャフト２の径方向に延びる第一面１２３Ａを有する第一止め部１２２Ａと、他方の綴じ部材のベース２１に突設され、前記綴じ状態で第一面１２３Ａと当接する第二面２２３Ａを有する第二止め部２２２Ａとを備える。【選択図】図３
2020196236.tif 000002
【特許請求の範囲】
【請求項１】
複数の半リングが棒状のベースに並設された二つの綴じ部材と、前記二つの綴じ部材の回動に係る軸部材とを備えており、前記二つの綴じ部材の半リングの先端部同士が重畳する綴じ状態及び解除状態を有する綴じ具であって、
一方の綴じ部材のベースに突設され、前記軸部材の径方向に延びる第一面を有する第一止め部と、
他方の綴じ部材のベースに突設され、前記綴じ状態で前記第一面と当接する第二面を有する第二止め部と
を備えることを特徴とする綴じ具。
【請求項２】
前記一方の綴じ部材のベースに突設され、前記軸部材の径方向に延びる第三面を有する第三止め部と、
前記他方の綴じ部材のベースに突設され、前記綴じ状態で前記第三面と所定の間隔を隔てて対向する第四面を有する第四止め部とを備えることを特徴とする請求項１に記載の綴じ具。
【請求項３】
前記第一面及び前記第二面の対向範囲は、前記軸部材の軸長方向において、前記第三面及び前記第四面の対向範囲よりも狭いことを特徴とする請求項２に記載の綴じ具。
【請求項４】
前記第一止め部及び前記第二止め部は前記軸部材に対応する第一溝及び第二溝を夫々有し、
前記軸部材の径方向において、
前記第一溝から前記第一止め部の先端までの長さは前記ベースまでの長さより長く、
前記第二溝から前記第二止め部の先端までの長さは前記ベースまでの長さより長いことを特徴とする請求項１から３の何れか一つに記載の綴じ具。
【請求項５】
前記一方の綴じ部材のベースに設けられ、摺動可能に前記軸部材に外嵌された第一摺動部と、
前記他方の綴じ部材のベースに設けられ、摺動可能に前記軸部材に外嵌された第二摺動部と
を備えることを特徴とする請求項１から４の何れか一つに記載の綴じ具。
【請求項６】
前記綴じ状態で、先端部同士が係合する係合半リング組と、
前記綴じ状態で、先端部同士が係合しない非係合半リング組とを備え、
前記係合半リング組は前記一方の綴じ部材及び他方の綴じ部材の両端部に設けられ、
前記非係合半リング組は前記両端部を除く部分に設けられていることを特徴とする請求項１から５の何れか一つに記載の綴じ具。
【発明の詳細な説明】
【技術分野】
【０００１】
本技術は、例えば紙葉を綴じる綴じ具に関する。
【背景技術】
【０００２】
棒状の基板と、該基板から突出し、前記基板に沿って並んだ複数の半リングとを有する部材を二つ備える綴じ具が従来提案されている。斯かる綴じ具は、紙葉に形成した孔に半リングを挿入させて、二つの部材における半リングそれぞれの先端部を突き合わせて、紙葉を綴じる（例えば特許文献１参照）。
【先行技術文献】
【特許文献】
【０００３】
【特許文献１】特開２０１８−００１５６２号公報
【発明の概要】
【発明が解決しようとする課題】
【０００４】
上述したように、二つの部材からなる綴じ具においては、複数の半リングの並設方向に沿って延びる軸の回りを各半リング（部材）が回動することによって、一の部材の半リングと、他の部材の対応する半リングとの先端部同士が係合（綴じ）し、又は解除する。
一方、特許文献１の綴じ具は、軸が各部材と一体形成されていることを前提としているので、軸と部材とが夫々別部材である場合においては、特許文献１の綴じ具に係る効果を得ることができない。
【０００５】
本開示は斯かる事情に鑑みてなされたものであり、より簡単な構成にて、綴じ状態を維持し、また綴じ状態を解除することができる綴じ具を提供することを目的とする。
【課題を解決するための手段】
【０００６】
本開示に係る綴じ具は、複数の半リングが棒状のベースに並設された二つの綴じ部材と、前記二つの綴じ部材の回動に係る軸部材とを備えており、前記二つの綴じ部材の半リングの先端部同士が重畳する綴じ状態及び解除状態を有する綴じ具であって、一方の綴じ部材のベースに突設され、前記軸部材の径方向に延びる第一面を有する第一止め部と、他方の綴じ部材のベースに突設され、前記綴じ状態で前記第一面と当接する第二面を有する第二止め部とを備えることを特徴とする。
【０００７】
本開示にあっては、綴じ状態で、前記第一止め部の前記第一面と、前記第二止め部の前記第二面とが当接している。従って、前記一方の綴じ部材及び前記他方の綴じ部材が前記軸部材の軸回りに回動することができなくなり、綴じ状態が維持される。
【０００８】
本開示に係る綴じ具は、前記一方の綴じ部材のベースに突設され、前記軸部材の径方向に延びる第三面を有する第三止め部と、前記他方の綴じ部材のベースに突設され、前記綴じ状態で前記第三面と所定の間隔を隔てて対向する第四面を有する第四止め部とを備えることを特徴とする。
【０００９】
本開示においては、前記第四面が前記第三面から所定の間隔を隔てて対向している。従って、前記第三面及び前記第四面が当接するまで、即ち、前記第三面及び前記第四面の間の間隔以上に、前記一方の綴じ部材及び前記他方の綴じ部材が前記軸部材の軸回りに回動することが制限される。
【００１０】
本開示に係る綴じ具は、前記第一面及び前記第二面の対向範囲は、前記軸部材の軸長方向において、前記第三面及び前記第四面の対向範囲よりも狭いことを特徴とする。
【００１１】
本開示においては、前記第一面及び前記第二面の対向範囲は、前記第三面及び前記第四面の対向範囲よりも狭いので、前記第一面及び前記第二面が対向しないように、前記一方の綴じ部材及び前記他方の綴じ部材をそれぞれ反対側にシフト（以下、解除と称する。）させても、依然として前記第三面及び前記第四面は対向する。従って、綴じ状態が解除されても、前記第三面及び前記第四面の間の間隔以上に、前記一方の綴じ部材及び前記他方の綴じ部材が前記軸部材の軸回りに回動することは制限される。
【００１２】
本開示に係る綴じ具は、前記第一止め部及び前記第二止め部は前記軸部材に対応する第一溝及び第二溝を夫々有し、前記軸部材の径方向において、前記第一溝から前記第一止め部の先端までの長さは前記ベースまでの長さより長く、前記第二溝から前記第二止め部の先端までの長さは前記ベースまでの長さより長いことを特徴とする。
【００１３】
本開示においては、前記軸部材の径方向において、前記第一溝から前記第一止め部の先端までの長さは前記ベースまでの長さより長く、前記第二溝から前記第二止め部の先端までの長さは前記ベースまでの長さより長い。従って、前記第一面及び前記第二面の接触面積を増やすことができ、前記一方の綴じ部材及び前記他方の綴じ部材の回動がより確実に制限される。
【００１４】
本開示に係る綴じ具は、前記一方の綴じ部材のベースに設けられ、摺動可能に前記軸部材に外嵌された第一摺動部と、前記他方の綴じ部材のベースに設けられ、摺動可能に前記軸部材に外嵌された第二摺動部とを備えることを特徴とする。
【００１５】
本開示においては、前記第一摺動部が前記軸部材上を摺動しながら前記一方の綴じ部材の移動を案内し、前記第二摺動部が前記軸部材上を摺動しながら前記他方の綴じ部材の移動を案内する。
【００１６】
本開示に係る綴じ具は、前記綴じ状態で、先端部同士が係合する係合半リング組と、前記綴じ状態で、先端部同士が係合しない非係合半リング組とを備え、前記係合半リング組は前記一方の綴じ部材及び他方の綴じ部材の両端部に設けられ、前記非係合半リング組は前記両端部を除く部分に設けられていることを特徴とする。
【００１７】
本開示においては、前記係合半リング組は前記一方の綴じ部材及び他方の綴じ部材の両端部に設けられ、ユーザの手又は腕が当たりやすい、前記両端部を除く部分には、前記非係合半リング組が設けられ、ユーザの手又は腕が当たった際に変形し、筆記の妨害が抑制される。
【発明の効果】
【００１８】
本開示に係る綴じ具にあっては、二つの綴じ部材と、これら綴じ部材の軸部材とが別部材である場合において、より簡単な構成にて、綴じ状態を維持し、また綴じ状態を解除することができる。
【図面の簡単な説明】
【００１９】
【図１】本実施の形態に係る綴じ具の略示分解平面図である。
【図２】本実施の形態に係る綴じ具の外観を示す斜視図である。
【図３】図２の斜視図における綴じ具の中央部を拡大した拡大図である。
【図４】本実施の形態に係る綴じ具の左係合半リング及び右係合半リングの略示拡大平面図である。
【図５】図４に示すＶ−Ｖ線による略示断面図である。
【図６】本実施の形態に係る綴じ具の左係合半リングの上部の略示右側面拡大図及び右係合半リングの上部の略示左側面拡大図である。
【図７】本実施の形態に係る綴じ具の左係合半リング及び右係合半リングの上部の略示底面拡大図である。
【図８】図４に示すＶＩＩＩ−ＶＩＩＩ線による左係合半リングの略示断面図、及びＶＩＩＩ−ＶＩＩＩ線に対応した位置にて切断した右係合半リングの略示断面図である。
【図９】本実施の形態に係る綴じ具の左上半リング及び右下半リングの略示正面断面図、並びに右上半リング及び左下半リングの略示背面断面図である。
【図１０】本実施の形態に係る綴じ具の左上半リングの上部の部分拡大右側面図、及び右上半リングの上部の部分拡大左側面図である。
【図１１】本実施の形態に係る綴じ具の右下半リングの上部の部分拡大左側面図、及び左下半リングの上部の部分拡大左側面図である。
【図１２】本実施の形態に係る綴じ具の綴じ状態を示す底面図である。
【図１３】図１２のＸＩＩＩ−ＸＩＩＩ線による縦断面図である。
【図１４】図１２のＸＩＶ−ＸＩＶ線による縦断面図である。
【図１５】本実施の形態に係る綴じ具の解除状態を示す底面図である。
【図１６】図１２における破線の円部分を拡大して模式的に示す図である。
【図１７】本実施の形態に係る綴じ具の第一止め部及び第二止め部の位置関係を示す模式的拡大図である。
【発明を実施するための形態】
【００２０】
以下本発明を実施の形態に係る綴じ具を示す図面に基づいて説明する。以下の説明では、図に示す上下左右前後を用いて説明する。
図１は、本実施の形態に係る綴じ具１の略示分解平面図である。図２は、本実施の形態に係る綴じ具１の外観を示す斜視図であり、図３は、図２の斜視図における綴じ具１の中央部を拡大した拡大図である。綴じ具１は、孔が形成された紙葉及び表紙を綴じることができる。
【００２１】
綴じ具１は、第一綴じ部材１０（一方の綴じ部材）及び第二綴じ部材２０（他方の綴じ部材）を備える。綴じ具１は円柱状のシャフト２（軸部材）を更に備える。第一綴じ部材１０及び第二綴じ部材２０はシャフト２を回動軸として、シャフト２の軸回りを回動する。図３においては、説明の便宜上、シャフト２及びばね３を二点鎖線にて略示している。
【００２２】
第一綴じ部材１０は棒状のベース１１を備える。ベース１１は縦断面視矩形であり、斯かる矩形の一長辺に係る一面に、複数の第一摺動部１２が並設されている。第一摺動部１２を介してベース１１（第一綴じ部材１０）がシャフト２に保持される。
第一摺動部１２は第一摺動部１２Ａ及び第一摺動部１２Ｂからなり、何れも縦断面視フック形状である。第一摺動部１２Ａには後述の第一止め部１２２Ａが延設されており、第一摺動部１２Ｂには後述の第三止め部１２２Ｂが延設されている。シャフト２の軸長方向において、第一摺動部１２Ａ及び第一摺動部１２Ｂが略交互に設けられている。
【００２３】
即ち、第一摺動部１２Ａ，１２Ｂには、シャフト２を収容するための摺動溝１２１Ａ，１２１Ｂが夫々形成されており、シャフト２に、摺動溝１２１Ａ，１２１Ｂが摺動可能に外嵌される。摺動溝１２１Ａ，１２１Ｂは、シャフト２の軸長方向に延びており、図中左側に向けて開口している。
【００２４】
ベース１１の後端部にはシャフト２の端部が挿入される後カバー１３が設けられている。後カバー１３は有底筒状をなし、前側に向けて開口している。
【００２５】
ベース１１には、図中左側に膨らんだ複数の左係合半リング１４と、左側に膨らんだ複数の左上半リング１５と、左側に膨らんだ複数の左下半リング１６とが長手方向に並設されている。左係合半リング１４、左上半リング１５及び左下半リング１６は何れもベース２１側（図中右側）の一部が開放されている。
【００２６】
左係合半リング１４はベース１１の両端部に設けられ、第一摺動部１２と反対側に突出されている。例えば、ベース１１の一端部及び他端部それぞれに、三つの左係合半リング１４が設けられている。なお左係合半リング１４の数は三つに限定されず、二つ以下でもよいし、四つ以上でもよい。
【００２７】
左上半リング１５及び左下半リング１６は、ベース１１において、両端部を除く部分に交互に配置され、第一摺動部１２と反対側に突出されている。左上半リング１５は周方向の長さが左下半リング１６よりも長い。左係合半リング１４、左上半リング１５及び左下半リング１６の軸方向は、シャフト２の軸長方向又はベース１１の長手方向である。
【００２８】
第二綴じ部材２０は棒状のベース２１を備える。ベース２１は縦断面視矩形であり、斯かる矩形の一長辺に係る一面に、複数の第二摺動部２２が並設されている。第二摺動部２２を介してベース２１（第二綴じ部材２０）がシャフト２に保持される。
第二摺動部２２は第二摺動部２２Ａ及び第二摺動部２２Ｂからなり、何れも縦断面視フック形状である。第二摺動部２２Ａには後述の第二止め部２２２Ａが延設されており、第二摺動部２２Ｂには後述の第四止め部２２２Ｂが延設されている。
シャフト２の軸長方向において、第二摺動部２２Ａ及び第二摺動部２２Ｂが略交互に設けられている。
【００２９】
即ち、第二摺動部２２Ａ，２２Ｂには、シャフト２を収容するための摺動溝２２１Ａ，２２１Ｂが夫々形成されており、シャフト２に、摺動溝２２１Ａ，２２１Ｂが摺動可能に外嵌される。摺動溝２２１Ａ，２２１Ｂは、シャフト２の軸長方向に延びており、図中右側に向けて開口している。
【００３０】
ベース２１の前端部にはシャフト２の端部が挿入される前カバー２３が設けられている。前カバー２３は有底筒状をなし、後側に向けて開口している。
【００３１】
ベース２１には、図中右側に膨らんだ複数の右係合半リング２４と、右側に膨らんだ複数の右上半リング２５と、右側に膨らんだ複数の右下半リング２６とが長手方向に並設されている。右係合半リング２４、右上半リング２５及び右下半リング２６は何れもベース１１側（図中左側）の一部が開放されている。
【００３２】
右係合半リング２４はベース２１の両端部に設けられ、第二摺動部２２と反対側に突出されている。例えば、ベース２１の一端部及び他端部それぞれに、三つの左係合半リング１４が設けられている。
【００３３】
右上半リング２５及び右下半リング２６は、ベース２１において、両端部を除く部分に交互に配置され、第二摺動部２２と反対側に突出されている。右上半リング２５は周方向の長さが右下半リング２６よりも長い。右係合半リング２４、右上半リング２５及び右下半リング２６の軸方向は、シャフト２の軸長方向又はベース２１の長手方向である。
【００３４】
第二綴じ部材２０の右係合半リング２４、右上半リング２５及び右下半リング２６は、第一綴じ部材１０の左係合半リング１４、左上半リング１５及び左下半リング１６に夫々対応する。綴じ具１が後述の綴じ状態である場合、第二綴じ部材２０の右係合半リング２４、右上半リング２５及び右下半リング２６の夫々の先端部は、第一綴じ部材１０の左係合半リング１４、左上半リング１５及び左下半リング１６の夫々の先端部と重畳する。
【００３５】
綴じ具１はシャフト２を備え、シャフト２は、その軸長方向が第一摺動部１２（ベース１１）及び第二摺動部２２（ベース２１）の長手方向と平行であるように配置される。上述したように、第一綴じ部材１０の第一摺動部１２及び第二綴じ部材２０の第二摺動部２２はシャフト２に掛止し、シャフト２の一端は前カバー２３に挿入され、他端は後カバー１３に挿入される。
【００３６】
また、第一綴じ部材１０（ベース１１）においては、第一摺動部１２Ａ及び第一摺動部１２Ｂが略交互に設けられ、第二綴じ部材２０（ベース２１）においては、第二摺動部２２Ａ及び第二摺動部２２Ｂが略交互に設けられている。
更に、第一摺動部１２Ａ及び第一摺動部１２Ｂの間には、第二摺動部２２Ａ又は第二摺動部２２Ｂが交互に配置され、第二摺動部２２Ａ及び第二摺動部２２Ｂの間には、第一摺動部１２Ａ又は第一摺動部１２Ｂが交互に配置されている。従って、第一摺動部１２Ａは第二摺動部２２Ａと隣り合い、第一摺動部１２Ｂは第二摺動部２２Ｂと隣り合う。
【００３７】
シャフト２は、第一摺動部１２Ａ（摺動溝１２１Ａ）、第二摺動部２２Ａ（摺動溝２２１Ａ）、第一摺動部１２Ｂ（摺動溝１２１Ｂ）、及び、第二摺動部２２Ｂ（摺動溝２２１Ｂ）にこの順に嵌められる。従って、第一綴じ部材１０及び第二綴じ部材２０はシャフト２の軸回りを回動可能である。
【００３８】
第一綴じ部材１０では長手方向の略中央に第一摺動部１２Ｂが設けられており、第二綴じ部材２０では長手方向の略中央に第二摺動部２２Ｂが設けられている。これら第一摺動部１２Ｂ及び第二摺動部２２Ｂの間の間隔は最も広く、第一摺動部１２Ｂ及び第二摺動部２２Ｂの間にばね３が配置される。ばね３は円筒形状であり、シャフト２がばね３を貫通した状態まま配置される。
【００３９】
ばね３は第一綴じ部材１０及び第二綴じ部材２０を互いに逆向きに付勢する。図中においては、ばね３は、第一綴じ部材１０を前側に付勢し、第二綴じ部材２０を後側に付勢する。換言すれば、ばね３の付勢力は、第一綴じ部材１０の左係合半リング１４、左上半リング１５及び左下半リング１６の位置と、第二綴じ部材２０の右係合半リング２４、右上半リング２５及び右下半リング２６の位置とが整合するように働く。
また、ばね３の付勢力によって、左係合半リング１４と、右係合半リング２４とは係合し維持する。以下、説明する。
【００４０】
図４は、本実施の形態に係る綴じ具１の左係合半リング１４及び右係合半リング２４の略示拡大平面図であり、図５は、図４に示すＶ−Ｖ線による略示断面図である。図４においては、図面に垂直な方向が上下方向であり、図５においては、図面に垂直な方向が前後方向である。
【００４１】
左係合半リング１４の上部前側に凹部１４ａが形成されており、左係合半リング１４の先端部分には、右側に突出した凸部１４ｂが形成されている。
【００４２】
右係合半リング２４の上部後側に凹部２４ａが形成されており、右係合半リング２４の先端部分には、左側に突出した凸部２４ｂが形成されている。右係合半リング２４の凸部２４ｂの形状は、左係合半リング１４の凹部１４ａに倣った形状であり、左係合半リング１４の凸部１４ｂの形状は、右係合半リング２４の凹部２４ａに倣った形状である。右係合半リング２４の凸部２４ｂは左係合半リング１４の凹部１４ａに係合し、左係合半リング１４の凸部１４ｂは、右係合半リング２４の凹部２４ａに係合する。
【００４３】
上述したように、ばね３は、第一綴じ部材１０を前側に付勢し、第二綴じ部材２０を後側に付勢するので（図３参照）、ばね３の付勢力によって、係合した凹部１４ａ、２４ａ及び凸部１４ｂ、２４ｂは容易には外れない。
本実施の形態に係る綴じ具１が綴じ状態である場合、このように左係合半リング１４及び右係合半リング２４が係合し、ばね３によって綴じ状態が維持される。即ち、左係合半リング１４及び右係合半リング２４は、綴じ状態で、先端部同士が係合する係合半リング組に該当する。
【００４４】
図６は、本実施の形態に係る綴じ具１の左係合半リング１４の上部の略示右側面拡大図及び右係合半リング２４の上部の略示左側面拡大図であり、図７は、本実施の形態に係る綴じ具１の左係合半リング１４及び右係合半リング２４の上部の略示底面拡大図であり、図８は、図４に示すＶＩＩＩ−ＶＩＩＩ線による左係合半リング１４の略示断面図、及びＶＩＩＩ−ＶＩＩＩ線に対応した位置にて切断した右係合半リング２４の略示断面図である。図６〜図８において、右係合半リング２４の前後方向及び符号は括弧書きにて表されている。なお、図６〜図８は、例えば、綴じ具１の端に設けられた左係合半リング１４及び右係合半リング２４を示す。
【００４５】
左係合半リング１４の上部内周面から板部１４ｆが右側に突出している。板部１４ｆは凹部１４ａの下側に配置されており、凸部１４ｂよりも左側に配置されている。板部１４ｆ上面の前後方向中央部には下溝１４ｇが形成されており、該下溝１４ｇは左右方向に延びる。下溝１４ｇの前側に、上方に突出した突出部１４ｋが形成されている。下溝１４ｇの前側面は、下溝１４ｇの底面に対して傾斜した傾斜面１４ｈを形成する。傾斜面１４ｈは、後側に向かうに従って下降するように傾斜する。傾斜面１４ｈは突出部１４ｋの上面に連なる。
【００４６】
左係合半リング１４の凸部１４ｂの下部後側に上溝１４ｃが形成されている。上溝１４ｃは左右方向に延びる。凸部１４ｂの下部前側には下側に突出した突出部１４ｅが形成されている。上溝１４ｃの前側面は傾斜面１４ｄを形成し、該傾斜面１４ｄは前側に向かうに従って下降するように傾斜する。傾斜面１４ｄは突出部１４ｅの下面に連なる。
【００４７】
右係合半リング２４の上部にも、左係合半リング１４と同様に、板部２４ｆ、下溝２４ｇ、傾斜面２４ｈ及び突出部２４ｋが形成されている。右係合半リング２４の下溝２４ｇの後側面が傾斜面２４ｈを形成し、該傾斜面２４ｈは前側に向かうに従って下降するように傾斜する。突出部２４ｋは板部２４ｆの後部上面に形成される。
【００４８】
右係合半リング２４の凸部２４ｂの下部にも、左係合半リング１４の凸部１４ｂと同様に、上溝２４ｃ、突出部２４ｅ及び傾斜面２４ｄが形成されている。右係合半リング２４の上溝２４ｃは凸部２４ｂの前側に形成され、突出部２４ｅは凸部２４ｂの後側に形成されている。また凸部２４ｂの傾斜面２４ｄは後側に向かうに従って下降するように傾斜する。傾斜面２４ｄは突出部２４ｅの下端に連なる。
【００４９】
上述したように、左係合半リング１４の凸部１４ｂの形状は、右係合半リング２４の凹部２４ａの形状に対応し、右係合半リング２４の凸部２４ｂの形状は、左係合半リング１４の凹部１４ａの形状に対応する。綴じ具１が綴じ状態である場合、左係合半リング１４の凸部１４ｂは、右係合半リング２４の凹部２４ａに係合し、右係合半リング２４の凸部２４ｂは、左係合半リング１４の凹部１４ａに係合する。
【００５０】
左係合半リング１４の上溝１４ｃ、突出部１４ｅ及び傾斜面１４ｄの位置は、右係合半リング２４の突出部２４ｋ、下溝２４ｇ及び傾斜面２４ｈの位置にそれぞれ対応し、右係合半リング２４の上溝２４ｃ、突出部２４ｅ及び傾斜面２４ｄの位置は、左係合半リング１４の突出部１４ｋ、下溝１４ｇ及び傾斜面１４ｈの位置にそれぞれ対応する。
【００５１】
綴じ具１が綴じ状態である場合、即ち、左係合半リング１４及び右係合半リング２４が係合する際、左係合半リング１４の上溝１４ｃには、右係合半リング２４の突出部２４ｋが挿入され、左係合半リング１４の突出部１４ｅは、右係合半リング２４の下溝２４ｇに挿入され、左係合半リング１４の傾斜面１４ｄは、右係合半リング２４の傾斜面２４ｈに対向する。
【００５２】
また、綴じ具１が綴じ状態である場合、右係合半リング２４の上溝２４ｃには、左係合半リング１４の突出部１４ｋが挿入され、右係合半リング２４の突出部２４ｅは、左係合半リング１４の下溝１４ｇに挿入され、右係合半リング２４の凸部２４ｂの傾斜面２４ｄは、左係合半リング１４の板部１４ｆの傾斜面１４ｈに対向する。突出部２４ｅは下溝１４ｇに嵌まるので、突出部２４ｅは容易には外れない。
【００５３】
左係合半リング１４及び右係合半リング２４の係合を解除する場合、ユーザは、凸部２４ｂに対しては前方への力を作用させ、凸部１４ｂに対しては後方への力を作用させることによって、突出部２４ｅを傾斜面１４ｈに沿って移動させ、かつ突出部２４ｅを傾斜面１４ｈに沿って移動させて、係合を解除させることができる。
【００５４】
図９は、本実施の形態に係る綴じ具１の左上半リング１５及び右下半リング２６の略示正面断面図、並びに右上半リング２５及び左下半リング１６の略示背面断面図であり、図１０は、本実施の形態に係る綴じ具１の左上半リング１５の上部の部分拡大右側面図、及び右上半リング２５の上部の部分拡大左側面図であり、図１１は、本実施の形態に係る綴じ具１の右下半リング２６の上部の部分拡大左側面図、及び左下半リング１６の上部の部分拡大左側面図である。図９〜図１１において、右上半リング２５及び左下半リング１６の前後方向と左右方向、並びに符号は括弧書きにて表されている。
【００５５】
左上半リング１５の内周面に周方向に延びる溝１５ａが形成されている。左上半リング１５の先端部分に右方に突出した突出部１５ｂが形成されている。突出部１５ｂの下面１５ｃは左右方向に延びる。図１０に示すように、下面１５ｃは前後方向にて湾曲した円弧状をなす。
【００５６】
右下半リング２６の内周面に周方向に延びる溝２６ａが形成されている。右下半リング２６の先端部分の上面２６ｂは左右方向に延びる。図１１に示すように、上面２６ｂは前後方向にて湾曲した円弧状をなす。上面２６ｂと下面１５ｃとは対応した形状を有する。
綴じ具１が綴じ状態である場合、突出部１５ｂは上面２６ｂの上側に配置され、上面２６ｂと下面１５ｃは対向し、又は当接する。即ち、左上半リング１５の先端部分（突出部１５ｂ）と右下半リング２６の先端部分（上面２６ｂ）とは、上下方向にて、リングの径方向に重畳する。
【００５７】
右上半リング２５も、左上半リング１５と同様に、溝２５ａ、突出部２５ｂ及び下面２５ｃを備え、左下半リング１６も、右下半リング２６と同様に、溝１６ａ及び上面１６ｂを有する。上面１６ｂと下面２５ｃとは対応した形状を有する。
綴じ具１が綴じ状態である場合、突出部２５ｂは上面１６ｂの上側に配置され、上面１６ｂと下面２５ｃは対向し、又は当接する。即ち、右上半リング２５の先端部分（突出部２５ｂ）と左下半リング１６の先端部分（上面１６ｂ）とは、上下方向にて、リングの径方向に重畳する。
【００５８】
図５に示すように、左係合半リング１４の中途部の厚みをＡ１とし、左係合半リング１４の上部の最も厚い部分の厚みをＢ１とし、また図９に示すように、左上半リング１５の中途部（溝１５ａ）の厚みをＡ２とし、左上半リング１５の上部の最も厚い部分の厚みをＢ２とした場合、厚みＡ１は厚みＡ２よりも大きく、厚みＢ１は厚みＢ２よりも大きい。
【００５９】
なお、右係合半リング２４の中途部の厚みは、左係合半リング１４と同様にＡ１であり、右係合半リング２４の上部の最も厚い部分の厚みは、左係合半リング１４と同様にＢ１である。また右下半リング２６の中途部の厚みは、左上半リング１５と同様にＡ２である。右下半リング２６の上部の最も厚い部分の厚みは、左上半リング１５よりも小さい。
【００６０】
図示は省略しているが、右上半リング２５の中途部の厚みはＡ２であり、右上半リング２５の上部の最も厚い部分の厚みはＢ２である。また左下半リング１６の中途部の厚みはＡ２であり、左下半リング１６の上部の最も厚い部分の厚みは、右上半リング２５よりも小さい。
【００６１】
即ち、左上半リング１５、左下半リング１６、右上半リング２５及び右下半リング２６は、全体的に、左係合半リング１４及び右係合半リング２４よりも薄い。即ち、左係合半リング１４及び右係合半リング２４の厚みは、全体的に、左上半リング１５、左下半リング１６、右上半リング２５及び右下半リング２６の厚みよりも大きい。左上半リング１５、左下半リング１６、右上半リング２５及び右下半リング２６は柔軟に構成されている。
【００６２】
また、左係合半リング１４及び右係合半リング２４は互いに係合する係合構造をその先端部に有するが、左上半リング１５及び右下半リング２６、並びに、右上半リング２５及び左下半リング１６は係合構造を有しない。左上半リング１５及び右下半リング２６、並びに、右上半リング２５及び左下半リング１６は非係合半リング組に該当する。
【００６３】
一方、左上半リング１５及び右下半リング２６、並びに、右上半リング２５及び左下半リング１６は、先端部の延び方向において重畳する部分の範囲（以下、重畳範囲と称する。）が左係合半リング１４及び右係合半リング２４の重畳範囲よりも長い。
【００６４】
左係合半リング１４及び右係合半リング２４は綴じ具１の両端部に設けられ、左上半リング１５及び右下半リング２６、並びに、右上半リング２５及び左下半リング１６は綴じ具１の両端部を除く部分に設けられている。
【００６５】
なお左係合半リング１４及び右係合半リング２４と、左上半リング１５、左下半リング１６、右上半リング２５及び右下半リング２６とを異なる材料によって構成し、左係合半リング１４及び右係合半リング２４を左上半リング１５、左下半リング１６、右上半リング２５及び右下半リング２６よりも高い剛性にしてもよい。例えば、左係合半リング１４及び右係合半リング２４をポリプロピレン材、ＡＢＳ樹脂材又はアクリル樹脂材などで構成し、左上半リング１５、左下半リング１６、右上半リング２５及び右下半リング２６をポリエチレン材、軟質塩化ビニル材などで構成してもよい。
【００６６】
本実施の形態に係る綴じ具１にあっては、上述したように、柔軟な左上半リング１５、左下半リング１６、右上半リング２５及び右下半リング２６を、ベース１１、２１において両端部を除く部分に配置することによって、ユーザの手又は腕が左上半リング１５、左下半リング１６、右上半リング２５及び右下半リング２６に当たった場合、左上半リング１５、左下半リング１６、右上半リング２５及び右下半リング２６は変形し、筆記の妨害が抑制される。
【００６７】
左上半リング１５及び右下半リング２６、並びに、右上半リング２５及び左下半リング１６は、先端部の延び方向における重畳範囲が長いので、上述した変形の際にも確実に紙葉及び表紙を綴じることができる。
【００６８】
例えば、全ての半リングを、左上半リング１５及び右下半リング２６、並びに、右上半リング２５及び左下半リング１６のように柔軟な構成にした場合、筆記の妨害を回避することはできるが、変形が容易であるから紙葉の挿脱は困難となる。本実施の形態に係る綴じ具１にあっては、剛性の高い半リング（左係合半リング１４及び右係合半リング２４）と、柔軟な半リングとを共に備えるので、紙葉の挿脱と筆記の妨害の回避とを両立させることができる。
【００６９】
また、左係合半リング１４及び右係合半リング２４が係合構造を有し、また高い剛性を有するので、綴じ具１の綴じ状態を維持できる。
【００７０】
上述したように、シャフト２の軸長方向において、第一摺動部１２Ａは第二摺動部２２Ａと隣り合うように設けられ、第一摺動部１２Ｂは第二摺動部２２Ｂと隣り合うように設けられている。
本実施の形態に係る綴じ具１においては、綴じ状態を維持し、綴じ状態の解除を防止する第一止め部１２２Ａ及び第一止め部１２２Ａを備えている。
【００７１】
図３に示すように、第一止め部１２２Ａは、第一摺動部１２Ａ及び第二摺動部２２Ａの間に設けられている。第一止め部１２２Ａはベース１１の下側面に突設されており、且つ、第一摺動部１２Ａの第二摺動部２２Ａ側端から延設されている。第一止め部１２２Ａは、上下方向における途中に、シャフト２に対応する第一溝１２５Ａが形成されている。また、第一止め部１２２Ａは、上下方向において、ベース１１に対して第一溝１２５Ａよりも遠方に第一面１２３Ａを有する。即ち、図３において、第一面１２３Ａは、第一溝１２５Ａよりも上側に形成されている。第一面１２３Ａは、シャフト２の軸長方向と平行であり、ベース１１の下側面と垂直な方向、即ち、シャフト２の径方向に延びる扁平面である（図３及び図１３参照）。
【００７２】
また、第二止め部２２２Ａは、第一摺動部１２Ａ及び第二摺動部２２Ａの間に設けられている。第二止め部２２２Ａはベース２１の下側面に突設されており、且つ、第二摺動部２２Ａの第一摺動部１２Ａ側端から延設されている。第二止め部２２２Ａは、上下方向における途中に、シャフト２に対応する第二溝２２５Ａが形成されている。また、第二止め部２２２Ａは、上下方向において、ベース２１に対して第二溝２２５Ａよりも遠方に第二面２２３Ａを有する。第二面２２３Ａは、シャフト２の軸長方向と平行であり、ベース２１の下側面と垂直な方向、即ち、シャフト２の径方向に延びる扁平面である（図３及び図１３参照）。
【００７３】
第一止め部１２２Ａ及び第二止め部２２２Ａは対向しており、綴じ具１が綴じ状態である場合、第二面２２３Ａは第一面１２３Ａと当接する。第一面１２３Ａ及び第二面２２３Ａが当接することによって、綴じ具１の綴じ状態が維持され、綴じ状態の解除が防止される。
【００７４】
上述したように、第一綴じ部材１０及び第二綴じ部材２０はシャフト２の軸回りを回動することによって、綴じ状態又は綴じ状態が解除された状態（以下、解除状態と称する。）になる。解除状態では、所定の角度（間隔）にて第一綴じ部材１０及び第二綴じ部材２０の間が開く。
一方、第一面１２３Ａ及び第二面２２３Ａがシャフト２の径方向に延びる扁平面であり、綴じ具１が綴じ状態である場合は第二面２２３Ａは第一面１２３Ａと当接する。従って、第一綴じ部材１０及び第二綴じ部材２０はシャフト２の軸回りを回動できなくなり、綴じ状態が維持される。
【００７５】
本実施の形態に係る綴じ具１においては、解除状態で特定角度以上に第一綴じ部材１０及び第二綴じ部材２０の間が開くことを防止する第三止め部１２２Ｂ及び第四止め部２２２Ｂを備えている。
【００７６】
図３に示すように、第三止め部１２２Ｂは、第一摺動部１２Ｂ及び第二摺動部２２Ｂの間に設けられている。第三止め部１２２Ｂはベース１１の下側面に突設されており、且つ、第一摺動部１２Ｂの第二摺動部２２Ｂ側端から延設されている。第三止め部１２２Ｂは、上下方向における途中に、シャフト２に対応する第三溝１２５Ｂが形成されている。また、第三止め部１２２Ｂは、上下方向において、ベース１１に対して第三溝１２５Ｂよりも遠方に第三面１２３Ｂを有する。即ち、図３において、第三面１２３Ｂは、第三溝１２５Ｂよりも上側に形成されている（図３及び図１４参照）。第三面１２３Ｂは、シャフト２の軸長方向と平行であり、ベース１１の下側面に対して傾斜しており、シャフト２の径方向に延びる扁平面である。換言すれば、第三面１２３Ｂは後述する第四面２２３Ｂに近づくにつれて下降するように傾斜している。
【００７７】
また、第四止め部２２２Ｂは、第一摺動部１２Ｂ及び第二摺動部２２Ｂの間に設けられている。第四止め部２２２Ｂはベース２１の下側面に突設されており、且つ、第二摺動部２２Ｂの第一摺動部１２Ｂ側端から延設されている。第四止め部２２２Ｂは、上下方向における途中に、シャフト２に対応する第四溝２２５Ｂが形成されている。また、第四止め部２２２Ｂは、上下方向において、ベース２１に対して第四溝２２５Ｂよりも遠方に第四面２２３Ｂを有する。即ち、図３において、第四面２２３Ｂは、第四溝２２５Ｂよりも上側に形成されている（図３及び図１４参照）。第四面２２３Ｂは、シャフト２の軸長方向と平行であり、ベース２１の下側面に対して傾斜し、シャフト２の径方向に延びる扁平面である。換言すれば、第四面２２３Ｂは第三面１２３Ｂに近づくことにつれて下降するように傾斜している。
【００７８】
第四止め部２２２Ｂの第四面２２３Ｂは、綴じ具１の綴じ状態で第三止め部１２２Ｂの第三面１２３Ｂから所定の間隔（角度）隔てて対向するように構成されている。第三面１２３Ｂ及び第四面２２３Ｂの間の間隔は、シャフト２に近い程短くなる。
【００７９】
このように、第一摺動部１２Ｂに係る第三止め部１２２Ｂと、第二摺動部２２Ｂに係る第四止め部２２２Ｂとが対向している。従って、解除状態では、第三面１２３Ｂ及び第四面２２３Ｂが当接するまで、第一綴じ部材１０及び第二綴じ部材２０はシャフト２の軸回りを回動できる。
【００８０】
以下、綴じ具１の綴じ状態と、解除状態とにおける、第一止め部１２２Ａ及び第二止め部２２２Ａ、並びに、第三止め部１２２Ｂ及び第四止め部２２２Ｂの作用について説明する。
【００８１】
図１２は、本実施の形態に係る綴じ具１の綴じ状態を示す底面図であり、図１３は、図１２のＸＩＩＩ−ＸＩＩＩ線による縦断面図であり、図１４は、図１２のＸＩＶ−ＸＩＶ線による縦断面図であり、図１５は、本実施の形態に係る綴じ具１の解除状態を示す底面図である。説明の便宜上、図１５では、ばね３を二点鎖線にて略示している。
【００８２】
綴じ具１が綴じ状態である場合、左係合半リング１４の先端部及び右係合半リング２４の先端部が係合し、左上半リング１５の先端部及び右下半リング２６の先端部、並びに、右上半リング２５の先端部及び左下半リング１６の先端部が重畳している。
【００８３】
この際、図１３から分かるように、第一面１２３Ａ及び第二面２２３Ａが対向し、互いに当接している。
第一摺動部１２Ａにおいては、第一溝１２５Ａから第一止め部１２２Ａの先端までの長さ（図１３中、Ｌ３で表示）は、第一溝１２５Ａからベース１１までの長さ（図１３中、Ｌ４で表示）よりも長い。また、第二摺動部２２Ａにおいても、第二溝２２５Ａから第二止め部２２２Ａの先端までの長さは、第二溝２２５Ａからベース２１までの長さよりも長い。
従って、第一面１２３Ａ及び第二面２２３Ａの当接面積を広くすることができ、確実に綴じ具１の綴じ状態を維持き、解除を防止できる。
【００８４】
綴じ状態を解除する場合、ユーザは、第二綴じ部材２０に対しては前方への力を作用させ、第一綴じ部材１０に対しては後方への力を作用させる。図１２においては、ユーザは、第一綴じ部材１０に対してＤ２方向に力を作用させ、第二綴じ部材２０に対してＤ１方向に力を作用させる。これによって、第一摺動部１２Ａ及び第一摺動部１２Ｂがシャフト２上をＤ２方向に摺動し、第二摺動部２２Ａ及び第二摺動部２２Ｂがシャフト２上をＤ１方向に摺動するので、第一綴じ部材１０及び第二綴じ部材２０の移動が案内される。
この際、右係合半リング２４の突出部２４ｅが左係合半リング１４の傾斜面１４ｈに沿って移動し、かつ右係合半リング２４の突出部２４ｅが左係合半リング１４の傾斜面１４ｈに沿って移動するので、左係合半リング１４及び右係合半リング２４の係合が解除される。
【００８５】
一方、図１２及び図１３に示すように、第一摺動部１２Ａの第一止め部１２２Ａ（第一面１２３Ａ）及び第二摺動部２２Ａの第二止め部２２２Ａ（第二面２２３Ａ）は、シャフト２の軸長方向と直交する方向（図１２中左右方向）にて対向している。
【００８６】
また、図１２及び図１４に示すように、第一摺動部１２Ｂの第三止め部１２２Ｂ（第三面１２３Ｂ）及び第二摺動部２２Ｂの第四止め部２２２Ｂ（第四面２２３Ｂ）もシャフト２の軸長方向と直交する方向にて対向している。第三面１２３Ｂ及び第四面２２３Ｂは斜めに対向しており、特定角度で開いたＶ字形状をなしている。
【００８７】
しかし、シャフト２の軸長方向において、第一面１２３Ａ及び第二面２２３Ａの対向範囲（図１２中、Ｌ１で表示）は、第三面１２３Ｂ及び第四面２２３Ｂの対向範囲（図１２中、Ｌ２で表示）と異なり、Ｌ１＜Ｌ２である。
【００８８】
例えば、ユーザが、第一綴じ部材１０及び第二綴じ部材２０に対してそれぞれＤ２方向及びＤ１方向に力を作用させ、第一綴じ部材１０及び第二綴じ部材２０がＬ１の寸法だけシフトしたとする。この場合、第一面１２３Ａ及び第二面２２３Ａは対向しなくなり、第一摺動部１２Ａ（第一綴じ部材１０）及び第二摺動部２２Ａ（第二綴じ部材２０）がシャフト２の軸回りを回動できる状態となる。
なお、この際にも、第三面１２３Ｂ及び第四面２２３Ｂは依然として対向しているものの、図１４に示すように特定角度（間隔）隔てられているので、第三面１２３Ｂ及び第四面２２３Ｂが当接するまで、第一摺動部１２Ｂ（第一綴じ部材１０）及び第二摺動部２２Ｂ（第二綴じ部材２０）がシャフト２の軸回りを回動できる。
【００８９】
即ち、ユーザが、第一綴じ部材１０及び第二綴じ部材２０をそれぞれＤ２方向及びＤ１方向にＬ１の寸法だけシフトさせることによって解除状態となり、左係合半リング１４及び右係合半リング２４の係合は解除され、左上半リング１５及び右下半リング２６、並びに、右上半リング２５及び左下半リング１６は、それらの先端部が重畳しなくなる。従って、第一綴じ部材１０及び第二綴じ部材２０の間を開くことができる。
【００９０】
解除状態で、第一綴じ部材１０及び第二綴じ部材２０の間を開く場合、第一綴じ部材１０は図１４のＤ３方向に回動し、第二綴じ部材２０は図１４のＤ４方向に回動する。即ち、第一綴じ部材１０及び第二綴じ部材２０の間を開く場合、第三面１２３Ｂ及び第四面２２３Ｂの間の角度が狭くなる。
そして、第一綴じ部材１０及び第二綴じ部材２０の間が前記特定角度だけ開いた場合は、図１５に示すように、第三面１２３Ｂの一部と第四面２２３Ｂの一部とが当接する。即ち、それ以上、第一綴じ部材１０及び第二綴じ部材２０は回動できなくなり、間を開くことが制限される。従って、第一綴じ部材１０及び第二綴じ部材２０の間が不要に開くことによる故障を未然に防止できる。
【００９１】
また、第一摺動部１２Ｂにおいては、第三溝１２５Ｂから第三止め部１２２Ｂの先端までの長さは、第三溝１２５Ｂからベース１１までの長さよりも長い。また、第二摺動部２２Ｂにおいても、第四溝２２５Ｂから第四止め部２２２Ｂの先端までの長さは、第四溝２２５Ｂからベース２１までの長さよりも長い（図１４参照）。
従って、前記特定角度以上に第一綴じ部材１０及び第二綴じ部材２０の間が開くことが確実に制限できる。
なお、本実施の形態に係る綴じ具１はこれに限定されるものではない。例えば、第三溝１２５Ｂから第三止め部１２２Ｂの先端までの長さが第三溝１２５Ｂからベース１１までの長さ以下であり、第四溝２２５Ｂから第四止め部２２２Ｂの先端までの長さが第四溝２２５Ｂからベース２１までの長さ以下であっても良い。
【００９２】
以上のことから、シャフト２を別途備える綴じ具１においては、第一止め部１２２Ａ（第一面１２３Ａ）及び第二止め部２２２Ａ（第二面２２３Ａ）を対向するように設けた、簡単な構成によって、綴じ具１の綴じ状態を保持又は解除できる。
また、第三止め部１２２Ｂの第三面１２３Ｂと、第四止め部２２２Ｂの第四面２２３Ｂとを特定角度（間隔）隔てて対向するように設けた、簡単な構成によって、解除状態にて、特定角度以上に第一綴じ部材１０及び第二綴じ部材２０の間が開くことを防止できる。
【００９３】
＜変形例＞
図１６は、図１２における破線の円部分を拡大して模式的に示す図である。
本実施の形態に係る綴じ具１においては、第一止め部１２２Ａの凸隅Ｃ１及び第二止め部２２２Ａの凸隅Ｃ３の少なくとも一方に、Ｃ面取り又はＲ面取りを施しても良い。
また、本実施の形態に係る綴じ具１においては、第一止め部１２２Ａの凹隅Ｃ２及び第二止め部２２２Ａの凹隅Ｃ４の少なくとも一方に、Ｃ面取り又はＲ面取りを施しても良い。  
なお、第一摺動部１２Ｂ及び第二摺動部２２Ｂに対しても、同様に、Ｃ面取り又はＲ面取りを施すことができることは言うまでもない。
これによって、綴じ具１においては綴じ状態及び解除状態の切替が容易になる。
【００９４】
図１７は、本実施の形態に係る綴じ具１の第一止め部１２２Ａ及び第二止め部２２２Ａの位置関係を示す模式的拡大図である。
以上においては、第一面１２３Ａ及び第二面２２３Ａが何れもシャフト２の軸長方向と平行をなす扁平面である場合について説明したが、本実施の形態に係る綴じ具１はこれに限定されるものではない。
【００９５】
例えば、第一面１２３Ａ及び第二面２２３Ａがシャフト２の軸長方向と平行でなく、傾斜するように構成しても良い。
換言すれば、第一止め部１２２Ａにおいて、第一摺動部１２Ａから遠ざかることにつれてシャフト２の軸長方向と直交する方向における寸法が縮小するように、第一面１２３Ａを設ける。また、第二止め部２２２Ａにおいても、第二摺動部２２Ａから遠ざかることにつれてシャフト２の軸長方向と直交する方向における寸法が縮小するように第二面２２３Ａを設ける。
これによって、綴じ具１の綴じ状態及び解除状態の切替が容易になる。
【００９６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００９７】
１  綴じ具
２  シャフト
１０  第一綴じ部材
１１，２１  ベース
１２Ａ，１２Ｂ  第一摺動部
１４  左係合半リング
１５  左上半リング
１６  左下半リング
２０  第二綴じ部材
２２Ａ，２２Ｂ  第二摺動部
２４  右係合半リング
２５  右上半リング
２６  右下半リング
１２２Ａ  第一止め部
１２２Ｂ  第三止め部
１２３Ａ  第一面
１２３Ｂ  第三面
１２５Ａ  第一溝
１２５Ｂ  第三溝
２２２Ａ  第二止め部
２２２Ｂ  第四止め部
２２３Ａ  第二面
２２３Ｂ  第四面
２２５Ａ  第二溝
２２５Ｂ  第四溝
【図１】
2020196236.tif 000003
【図２】
2020196236.tif 000004
【図３】
2020196236.tif 000005
【図４】
2020196236.tif 000006
【図５】
2020196236.tif 000007
【図６】
2020196236.tif 000008
【図７】
2020196236.tif 000009
【図８】
2020196236.tif 000010
【図９】
2020196236.tif 000011
【図１０】
2020196236.tif 000012
【図１１】
2020196236.tif 000013
【図１２】
2020196236.tif 000014
【図１３】
2020196236.tif 000015
【図１４】
2020196236.tif 000016
【図１５】
2020196236.tif 000017
【図１６】
2020196236.tif 000018
【図１７】
2020196236.tif 000019